(57)【特許請求の範囲】
【請求項１】
対向した第１枠材、第２枠材と、前記第１枠材の長さ方向一端部と前記第２枠材の長さ方向一端部に渡る第３枠材と、前記第１枠材の長さ方向他端部と前記第２枠材の長さ方向他端部に渡る第４枠材との間に通気孔を有した通気部用枠と、
前記通気孔内に設けられ、前記第１枠材と第２枠材の長手方向に移動自在である掃除用具を有し、
前記第１枠材は、本体部と、本体部の見込み方向一側に下向きに設けた一側縦板を備え、
前記第２枠材は、本体部と、本体部の見込み方向他側に上向きに設けた他側縦板を備え、
前記第１枠材の一側縦板と前記第２枠材の本体部の上面は離隔し、その間に前記通気孔の一側開口を有し、
前記第２枠材の他側縦板と前記第１枠材の本体部の下面は離隔し、その間に前記通気孔の他側開口を有し、
前記掃除用具は、本体と、該本体に設けた軟質の清掃部材を備え、
前記本体は、前記第１枠材の本体部の下面と対向した上面と、前記第１枠材の一側縦板の内面と対向した見込み方向一側面と、前記第２枠材の本体部の上面と対向した下面と、前記第２枠材の他側縦板の内面と対向した見込み方向他側面を有し、
前記本体の見込み方向一側面と見込み方向他側面に軟質の清掃部材が設けられ、前記各軟質の清掃部材が前記第１枠材の一側縦板の内面、前記第２枠材の他側縦板の内面にそれぞれ接触していることを特徴とする通気部。
【請求項２】
前記第１枠材の本体部の下面と、前記第１枠材の一側縦板の内面にガイド部を、第１枠材の長手方向に連続して有し、
前記掃除用具の本体の上面と、本体の見込方向一側面に、前記ガイド部に摺動自在に嵌まり合う摺動部を有し、
前記掃除用具の本体における前記一側開口と対向した部分と、前記他側開口と対向した部分の少なくとも一方に手掛け部を有している請求項１記載の通気部。
【請求項３】
前記第１枠材と第２枠材との間に補助枠材が設けられ、この補助枠材と第１枠材との間に第１の通気孔、補助枠材と第２枠材との間に第２の通気孔をそれぞれ有し、
前記掃除用具の本体は、前記補助枠材が挿通する補助枠材挿通孔を有すると共に、前記第１の通気孔と第２の通気孔とに亘って第１枠材、第２枠材の長手方向に移動自在に設けられ、この本体の補助枠材挿通孔の内面に補助枠材に接触する軟質の清掃部材を設けた請求項１記載の通気部。
【請求項４】
前記第１枠材と第２枠材との間に補助枠材が設けられ、この補助枠材と第１枠材との間に第１の通気孔、補助枠材と第２枠材との間に第２の通気孔をそれぞれ有し、
前記掃除用具の本体は、前記第１の通気孔、第２の通気孔にそれぞれ第１枠材、第２枠材の長手方向に移動自在に設けた第１の本体と、第２の本体を備え、この第１の本体に前記第１枠材の一側縦板の内面、補助枠材に接触する軟質の清掃部材を設け、前記第２の本体に前記第２枠材の他側縦板の内面、補助枠材に接触する軟質の清掃部材を設けた請求項１記載の通気部。
【請求項５】
前記第１の本体と第２の本体とに亘って、その第１の本体と第２の本体の一方が移動すると他方も移動するような連動手段を設けた請求項４記載の通気部。
【請求項６】
枠体に障子を開閉自在に設けた建具であって、
前記枠体又は障子に、請求項１〜５いずれか１項に記載の通気部を設けたことを特徴とする通気部付き建具。
【発明の詳細な説明】
【技術分野】
【０００１】
本発明は、建具の障子や建物の壁体、室内間仕切り等に設けられ、室内外に空気を流通して室内を換気等する通気部、及びその通気部を備えた通気部付き建具に関する。
【背景技術】
【０００２】
近年の建物は室内が高気密化されているので、室内外に空気を流通して室内を換気することが望まれ、通気部を備えた建具が種々提案されている。
例えば、特許文献１に開示したように、障子の横框の前壁の下部と後壁の上部に開口（隙間）をそれぞれ形成することで、横框内に前後に連通した通気孔を形成し、その通気孔を通して室内外に空気が流通するようにした通気部とした通気部を備えた建具が提案されている。
【先行技術文献】
【特許文献】
【０００３】
【特許文献１】特開平８−６８２７５号公報
【発明の概要】
【発明が解決しようとする課題】
【０００４】
前述した通気部においては、その通気孔内にゴミやホコリが付着するので、人が、開口から手を差し込んで通気孔内に付着したゴミやホコリを拭き取るようにして清掃しているが、その作業がやりづらく、大変面倒で手間がかかる。
特に、前述した従来の通気部のように前後の開口が上下にずれていると、前後両方の開口から手を挿し込んで清掃しなければならず、より手間がかかる。
【０００５】
本発明の目的は、通気孔内を手間をかけずに容易に清掃できるようにした通気部及び、その通気部を備えた通気部付き建具とすることである。
【課題を解決するための手段】
【０００６】
本発明の通気部は、対向した第１枠材、第２枠材と、前記第１枠材の長さ方向一端部と前記第２枠材の長さ方向一端部に渡る第３枠材と、前記第１枠材の長さ方向他端部と前記第２枠材の長さ方向他端部に渡る第４枠材との間に通気孔を有した通気部用枠と、
前記通気孔内に設けられ、前記第１枠材と第２枠材の長手方向に移動自在である掃除用具を有し、
前記第１枠材は、本体部と、本体部の見込み方向一側に下向きに設けた一側縦板を備え、
前記第２枠材は、本体部と、本体部の見込み方向他側に上向きに設けた他側縦板を備え、
前記第１枠材の一側縦板と前記第２枠材の本体部の上面は離隔し、その間に前記通気孔の一側開口を有し、
前記第２枠材の他側縦板と前記第１枠材の本体部の下面は離隔し、その間に前記通気孔の他側開口を有し、
前記掃除用具は、本体と、該本体に設けた軟質の清掃部材を備え、
前記本体は、前記第１枠材の本体部の下面と対向した上面と、前記第１枠材の一側縦板の内面と対向した見込み方向一側面と、前記第２枠材の本体部の上面と対向した下面と、前記第２枠材の他側縦板の内面と対向した見込み方向他側面を有し、
前記本体の見込み方向一側面と見込み方向他側面に軟質の清掃部材が設けられ、前記各軟質の清掃部材が前記第１枠材の一側縦板の内面、前記第２枠材の他側縦板の内面にそれぞれ接触していることを特徴とする通気部である。
【０００７】
本発明の通気部においては、前記第１枠材の本体部の下面と、前記第１枠材の一側縦板の内面にガイド部を、第１枠材の長手方向に連続して有し、
前記掃除用具の本体の上面と、本体の見込方向一側面に、前記ガイド部に摺動自在に嵌まり合う摺動部を有し、
前記掃除用具の本体における前記一側開口と対向した部分と、前記他側開口と対向した部分の少なくとも一方に手掛け部を有しているものとすることができる。
このようにすれば、本体を移動することで軟質の清掃部材が通気孔の内面に摺動するので、その通気孔の内面に付着したゴミやホコリを除去して清掃できるし、通気孔の内面に傷がついたりしない。
【０００８】
本発明の通気部においては、前記第１枠材と第２枠材との間に補助枠材が設けられ、この補助枠材と第１枠材との間に第１の通気孔、補助枠材と第２枠材との間に第２の通気孔をそれぞれ有し、
前記掃除用具の本体は、前記補助枠材が挿通する補助枠材挿通孔を有すると共に、前記第１の通気孔と第２の通気孔とに亘って第１枠材、第２枠材の長手方向に移動自在に設けられ、この本体の補助枠材挿通孔の内面に補助枠材に接触する軟質の清掃部材を設けたものとすることができる。
このようにすれば、２つの通気孔の内面に付着したゴミやホコリを同時に除去して清掃することができる。
【０００９】
本発明の通気部においては、前記第１枠材と第２枠材との間に補助枠材が設けられ、この補助枠材と第１枠材との間に第１の通気孔、補助枠材と第２枠材との間に第２の通気孔をそれぞれ有し、
前記掃除用具の本体は、前記第１の通気孔、第２の通気孔にそれぞれ第１枠材、第２枠材の長手方向に移動自在に設けた第１の本体と、第２の本体を備え、この第１の本体に前記第１枠材の一側縦板の内面、補助枠材に接触する軟質の清掃部材を設け、前記第２の本体に前記第２枠材の他側縦板の内面、補助枠材に接触する軟質の清掃部材を設けたものとすることができる。
このようにすれば、第１の本体、第２の本体を移動することで第１の通気孔、第２の通気孔の内面に付着したゴミやホコリを除去して清掃することができる。
【００１０】
本発明の通気部においては、前記第１の本体と第２の本体とに亘って、その第１の本体と第２の本体の一方が移動すると他方も移動するような連動手段を設けることができる。
このようにすれば、第１・第２の本体の一方のみを移動することで、第１・第２の本体が移動するので、その移動操作がやり易い。
【００１１】
本発明の通気部付き建具は、枠体に障子を開閉自在に設けた建具であって、
前記枠体又は障子に、請求項１〜５いずれか１項に記載の通気部を設けたことを特徴とする通気部付き建具である。
【発明の効果】
【００１２】
本発明の通気部によれば、掃除用具の本体を第１枠材、第２枠材の長手方向に移動することで、本体に設けた軟質の清掃部材が第１枠材の一側縦板の内面及び第２枠材の他側縦板の内面を摺動するから、掃除用具の本体を移動するだけで通気孔の内面に付着したゴミやホコリを除去できるので、通気孔内を手間をかけずに容易に清掃できる。
しかも、清掃部材は軟質であるから、通気孔の内面に傷がついたりしない。
【図面の簡単な説明】
【００１３】
【図１】本発明の第１の実施の形態を示す建具の正面図である。
【図２】図１のＡ−Ａ拡大断面図である。
【図３】本体の斜視図である。
【図４】本発明の第２の実施の形態を示す建具の正面図である。
【図５】図４のＢ−Ｂ拡大横断図である。
【図６】本体の斜視図である。
【図７】本発明の第３の実施の形態を示す縦断面図である。
【図８】本発明の第４の実施の形態を示す縦断面図である。
【発明を実施するための形態】
【００１４】
図１に示すように、枠体１に障子２を開閉自在に設けて建具としてある。
前記枠体１は上枠１０と下枠１１と左右の縦枠１２で方形状である。
前記障子２は２つの障子２ａ，２ａの召合せ部を折曲自在に連結し、一方の障子２ａの戸尻部を上枠１０と下枠１１に見込み方向（室内外側方向）に回動自在に支持し、他方の障子２ａの戸先部を上枠１０と下枠１１に見付け方向に移動自在に支承してあり、前記建具は折りたたみ戸である。
【００１５】
前記建具は折りたたみ戸に限ることはなく、開き戸、引き戸などでも良い。
【００１６】
前記障子２（２つの障子２ａ）は、上框２０と下框２１と左右の縦框２２を方形状に連結し、その内部にガラス、樹脂プレート等のパネル２３を設けてある。
前記障子２（２つの障子２ａ）の下部に本発明の通気部３が設けられ、通気部付き建具としてある。
この通気部３は、通気部用枠４内に通気孔５を有し、その通気孔５は通気部用枠４の室内側（見込み方向一側）と室外側（見込み方向他側）にそれぞれ開口し、その通気孔５を通して室内外に空気が流通する。
【００１７】
前記通気部用枠４は、見付け方向に離隔して対向した第１枠材、第２枠材と、前記第１・第２枠材の長手方向両端部に設けられ見付け方向に離隔して対向した第３枠材、第４枠材を備え、その第１〜第４枠材間に通気孔５を有している。
例えば、通気部用枠４は、上下方向に離隔して対向した中桟４０（第１枠材）、障子２の下框２１（第２枠材）と、左右方向に離隔して対向した障子２の一方の縦框２２（第３枠材）、他方の縦框２２（第３枠材）で方形状で、長手形状の通気孔５を有している。
【００１８】
前記通気孔５に掃除用具６が、第１・第２枠材（中桟４０、下框２１）の長手方向に向けて移動可能に設けてある。
この掃除用具６は、図２に示すように、本体６０と、その本体６０の外側の面に設けた軟質の清掃部材、例えばモヘヤ６１を有し、そのモヘヤ６１が中桟４０、下框２１の通気孔５を形成する内側面、つまり通気孔５の内面に接している。
【００１９】
このようであるから、通気部用枠４の見込み方向一側又は他側から掃除用具６を中桟４０、下框２１の長手方向に移動することで、モヘヤ６１が中桟４０、下框２１の通気孔５を形成する内側面に沿って摺動し、その内側面に付着したゴミやホコリを除去することができるから、通気孔５内を手間をかけずに容易に清掃することができる。
【００２０】
次に、各部材を詳細に説明する。
前記中桟４０は、本体部４１と、この本体部４１の見込み方向一側（室内側）に下向きに設けた一側縦板４２を備え、その本体部４１の下面４１ａと一側縦板４２の見込み方向他側面４２ａ（つまり、通気孔５の内面）にガイド部、例えば凹部４３が長手方向に連続して設けてある。
前記下框２１は、本体部４５と、この本体部４５の見込み方向他側に上向きに設けた他側縦板４６を備え、その他側縦板４６の見込み方向一側面４６ａ（つまり、通気孔５の内面）にガイド部、例えば凹部４７が長手方向に連続して設けてある。
【００２１】
前記中桟４０の本体部４１の下面４１ａと下框２１の本体部４５の上面４５ａは上下方向に離隔すると共に、一側縦板４２と他側縦板４６は見込み方向に離隔して中桟４０と下框２１との間に空洞５０を形成している。
前記一側縦板４２の下端部４２ｂと下框２１の本体部４５の上面４５ａは上下方向に離隔し、前記空洞５０を見込み方向一側に連通する一側開口５１を形成している。
前記他側縦板４６の上端部４６ｂと中桟４０の本体部４１の下面４１ａは上下方向に離隔し、前記空洞５０を見込み方向他側に連通する他側開口５２を形成している。
そして、空洞５０と一側開口５１と他側開口５２で通気孔５を形成している。
この通気孔５はほぼクランク形状で、一側開口５１よりも他側開口５２が上であるので、見込み方向一側から通気孔５に流れ込んだ水は見込み方向他側に流れに難く、浴室建具として好ましい。
【００２２】
前記掃除用具６の本体６０は、前記通気部用枠４内の空洞５０内に設けられるブロック形状で、その本体６０の上面６０ａ、見込み方向一側面６０ｂの上部寄り、下面６０ｃ、見込み方向他側面６０ｄの下部寄りにモヘヤ６１がそれぞれ設けてある。
前記本体６０の上面６０ａ、見込み方向一側面６０ｂのモヘヤ６１が設けられていない部分に前記ガイド部（凹部４３）に摺動自在に嵌まり合う摺動部、例えば突起６２が設けてある。
前記本体６０の見込み方向他側面６０ｄのモヘヤ６１が設けられていない部分に前記ガイド部（凹部４７）に摺動自在に嵌まり合う摺動部、例えば突起６３が設けてある。
【００２３】
前記各突起６２，６３が凹部４３，４７に摺動自在に嵌まり合うように本体６０が空洞５０内に設けられ、前記モヘヤ６１が本体部４１の下面４１ａ、一側縦板４２の見込み方向他側面４２ａ、本体部４５の上面４５ａ、他側縦板４６の見込み方向一側面４６ａ（つまり、通気孔５の内面）にそれぞれ接触している。
このようであるから、本体６０を通気孔５内でスムーズに移動できると共に、モヘヤ６１により本体部４１の下面４１ａ、一側縦板４２の見込み方向他側面４２ａ、本体部４５の上面４５ａ、他側縦板４６の見込み方向一側面４６ａ（つまり、通気孔５の内面）に付着したゴミやホコリを確実に除去することができ、通気孔５の内面を傷つけることもない。
【００２４】
前記本体６０の見込み方向一側面６０ｂの下部寄りに手掛け部６４が設けられ、一側開口５１から手掛け部６４に手を掛けることができるようにしてある。
例えば、図３に示すように本体６０の左右面６０ｅにおける下部で見込み方向一側寄りに切欠部６５をそれぞれ形成して薄肉部６６を形成し、その薄肉部６６を手掛け部６４としてある。
このようであるから、一側開口５１から手掛け部６４に手を掛けることで、掃除用具６をスムーズに移動することができる。
【００２５】
前記モヘヤ６１は本体６０の各面に設けることなく、通気孔５内に手を入れて清掃しづらい面と対向した面にのみ設けても良い。
例えば、本体６０の見込み方向一側面６０ｂ、他側面６０ｄにのみモヘヤ６１を設け、一側縦板４２、他側縦板４６の見込み方向他側面４２ａ、一側面４６ａを清掃し、本体部４１の下面４１ａ、本体部４５の上面４５ａは人が手で清掃するようにしても良い。
前記手掛け部６４は本体６０の見込み方向他側面６０ｄに設けても良いし、見込み方向一側面６０ｂと他側面６０ｄにそれぞれ設けても良い。
前述の軟質の清掃部材は、モヘヤに限ることはなく、ブラシ、軟質樹脂のヒレなどでも良い。
【００２６】
次に、第２の実施の形態を説明する。
図４に示すように、障子２は枠体１の上枠１０、下枠１１の長手方向に移動自在に設けられ、引き戸としてある。
前記障子２の下部に通気部３が設けてある。この通気部３の通気部用枠４は、第１枠材（中桟４０）と第２枠材（下框２１）との間に補助枠材７を設け、その補助枠材７と中桟４０との間、及び補助枠材７と下框２１との間に通気孔５をそれぞれ形成している。
【００２７】
前記中桟４０と下框２１は図５に示すように、前述の図２に示す中桟４０、下框２１と同様に本体部４１，４５と一側縦板４２、他側縦板４６を有している。
前記補助枠材７は、見込み方向一側寄りの一側縦向板７１と、見込み方向他側寄りの他側縦向板７２と、一側縦向板７１の上部と他側縦向板７２の下部を連結する斜めの連結板７３でほぼクランク形状である。
【００２８】
この補助枠材７は通気部用枠４の空洞５０内に設けられて空洞５０を上下の第１・第２空洞５０ａ，５０ｂに区画している。その一側縦向板７１が中桟４０の一側縦板４２の下端部４２ｂと下框２１の本体部４５の上面４５ａとの間に位置すると共に、他側縦向板７２が中桟４０の本体部４１の下面４１ａと下框２１の他側縦板４６の上端部４６ｂとの間に位置する。
前記一側縦向板７１の上部と一側縦板４２の下端部４２ｂが上下方向に離隔して第１の空洞５０ａを見込み方向一側に連通する第１の一側開口５１ａを形成し、一側縦向板７１の下部と下框２１の本体部４５の上面４５ａが上下方向に離隔して第２の空洞５０ｂを見込み方向一側に開口する第２の一側開口５１ｂを形成する。
前記他側縦向板７２の上部と中桟４０の本体部４１の下面４１ａが上下方向に離隔して第１の空洞５０ａを見込み方向他側に連通する第１の他側開口５２ａを形成し、他側縦向板７２の下部と他側縦板４６の上端部４６ｂが上下方向に離隔して第２の空洞５０ｂを見込み方方向他側に連通する第２の他側開口５２ｂを形成している。
【００２９】
前記第１の空洞５０ａと第１の一側開口５１ａと第１の他側開口５２ａで第１の通気孔５ａを形成する。
前記第２の空洞５０ｂと第２の一側開口５１ｂと第２の他側開口５２ｂで第２の通気孔５ｂを形成する。
この第１の通気孔５ａ、第２の通気孔５ｂは、ほぼクランク形状で、第１の一側開口５１ａよりも第１の他側開口５２ａが上で、第２の一側開口５１ｂよりも第２の他側開口５２ｂが上である。
このようであるから、見込み方向一側から上下の通気孔５ａ，５ｂに流れ込んだ水は、見込み方向他側に流れ難いので、浴室建具として好ましい。
【００３０】
前記掃除用具６は第１の通気孔５ａと第２の通気孔５ｂとに亘って設けられ、第１の実施の形態の掃除用具６と同様に本体６０とモヘヤ６１を有している。
この本体６０は、図５、図６に示すように上面６０ａ、見込み方向一側面６０ｂに設けた突起６２（摺動部）が中桟４０の凹部４３（ガイド部）に摺動自在に嵌合し、見込み方向他側面６０ｄに設けた凹部６３ａ（摺動部）が下框２１に設けた突部４７ａ（ガイド部）に摺動自在に嵌合している。
前記本体６０の左右面６０ｅに連通した補助枠材挿通孔６７を有し、この補助枠材挿通孔６７内に補助枠材７が隙間を有して挿通し、本体６０は補助枠材７の長手方向に移動可能である。
前記本体６０の見込み方向一側面６０ｂの下部寄りと、見込み方向他側面６０ｄの上部寄りに手掛け６４が設けてある。
この手掛け６４は通気部用枠４の見込み方向一側面、他側面よりも突出したヒレ形状で、その手掛け６４を持って本体６０を移動できるようにしてある。
【００３１】
前記本体６０にはモヘヤ６１が第１の実施の形態と同様に、本体部４１の下面４１ａ、一側縦板４２の見込み方向他側面４２ａ、及び本体部４５の上面４５ａ、他側縦板４６の見込み方向一側面４６ａに接触するように設けてあると共に、前記補助枠材挿通孔６７の内面にもモヘヤ６１が、補助枠材７の見込み方向一側面、他側面、上面、下面（つまり、補助枠材７の表面）に接触するように設けてある。
【００３２】
このようであるから、掃除用具６を移動することで、上の通気孔５ａの内面、下の通気孔５ｂの内面に付着したゴミやホコリを除去して清掃することができる。
【００３３】
前述の実施の形態では、掃除用具６の本体６０を第１・第２の通気孔５ａ，５ｂに亘って設けられ一体形状としたが、第１の通気孔５ａ、第２の通気孔５ｂにそれぞれ設ける２つの本体に区画しても良い。
例えば、図７に示すように第１の通気孔５ａに第１の本体６０−１を設け、第２の通気孔５ｂに第２の本体６０−２を設ける。
第１の本体６０−１にモヘヤ６１を、中桟４０の一側縦板４２の見込み方向他側面４２ａ、補助枠材７の他側縦向板７２の見込み方向一側面７２ｂに接触するように設ける。
第２の本体６０−２にモヘヤ６１を、下框２１の他側縦板４６の見込み方向一側面４６ｂ、補助枠材７の一側縦向板７１の見込み方向他側面７１ｂに接触するように設ける。
【００３４】
つまり、中桟４０の本体部４１の下面４１ａは第１の他側開口５２ａから手を入れて清掃し易く、下框２１の本体部４５の上面４５ａは第２の一側開口５１ｂから手を入れて清掃し易いと共に、補助枠材７の連結板７３は第１の一側開口５１ａ、第２の他側開口５２ｂから手を入れて清掃し易いので、それらの部分に接触するモヘヤを設けていない。
このようにすることで、中桟４０、補助枠材７、下框２１に接触するモヘヤ６１の量が少なく、掃除用具６の摺動抵抗が小さくなるので、掃除用具６をスムーズに移動できる。
【００３５】
前述した第１の本体６０−１と第２の本体６−２に手掛けをそれぞれ設けて別々に移動するようにしても良いし、第１の本体６０−１と第２の本体６０−２とに亘って手掛けを設け、同時に移動するようにしても良い。
また、一方の本体にのみ手掛けを設けると共に、一方の本体と他方の本体に亘って、一方の本体が移動すると他方の本体が同時に移動するように連動手段を設けても良い。
例えば、図７に示すように第１の本体６０−１、第２の本体６０−２の補助枠材７の連結板７３と対向した部分に磁石６８をそれぞれ設け、第１の本体６０−１と第２の本体６０−２が同時に移動するようにし、第１の本体６０−１にのみ手掛け６４を設ける。
【００３６】
前述の説明では、第１の本体６０−１、第２の本体６０−２を中桟４０の本体部４１の下面４１ａ、下框２１の本体部４５の上面４５ａ、補助枠材７の連結板７３に接するようにしたが、第１・第２の一側開口５１ａ，５１ｂ又は第１・第２の他側開口５２ａ，５２ｂと対向した部分には本体が存在しないようにしても良い。
例えば、図８に示すように、第１の本体６０−１を補助枠材７の他側縦向板７２の上部までとし、第１の他側開口５２ａと対向した部分には第１の本体６０−１が存在しないようにする。
第２の本体６０−２を下框２１の他側縦板４６の上部までとし、第２の縦側開口５２ｂと対向した部分には第２の本体６０−２が存在しないようにする。
【００３７】
このようにすれば、中桟４０の一側縦板４２の見込み方向他側面４２ａにおける第１の他側開口５２ａと対応した部分を、その第１の他側開口５２ａから手を入れて清掃できる。
また、補助枠材７の一側縦向板７１の見込み方向他側面７１ｂにおける第２の他側開口５２ｂと対向した部分を、その第２の他側開口５２ｂから手を入れて清掃できる。
したがって、モヘヤ６１の量がより少なく、モヘヤ６１による摺動抵抗がより小さくなるので、掃除用具６を小さな力でスムーズに移動できる。
【００３８】
前記第１の本体６０−１と第２の本体６０−２に亘って手掛け６４を設け、この手掛け６４に手を掛けることで第１・第２の本体６０−１，６０−２を同時に移動することができる。
これに限ることはなく、第１の本体６０−１、第２の本体６０−２にそれぞれ手掛けを設けても良いし、一方の本体にのみ手掛けを設けると共に、両方の本体を連動手段で同時に連動するようにしても良い。
【００３９】
前述の実施の形態では通気部用枠４を障子２の下框２１、縦框２２を用いて形成したが、下框２１、縦框２２とは別の枠材で通気部用枠４を形成し、その通気部用枠４を障子２の任意の部分に設けても良い。
前述の第１枠材と第２枠材は上下方向に対向したが、左右に対向しても良い。
【００４０】
前述の実施の形態では、通気部３を障子２に設けたが、枠体１に設けることができるし、建物の壁体や室内間仕切りに設けることができる。
【符号の説明】
【００４１】
１…枠体、２…障子、３…通気部、４…通気部用枠、５…通気孔、５ａ…第１の通気孔、５ｂ…第２の通気孔、６…掃除用具、７…補助枠材、２１…下框（第２枠材）、２２…縦框（第３・第４枠材）、４０…中桟（第１枠材）、６０…本体、６０−１…第１の本体、６０−２…第２の本体、６１…モヘヤ（軟質の清掃部材）。
【図１】
0005700542.tif 000002
【図２】
0005700542.tif 000003
【図３】
0005700542.tif 000004
【図４】
0005700542.tif 000005
【図５】
0005700542.tif 000006
【図６】
0005700542.tif 000007
【図７】
0005700542.tif 000008
【図８】
0005700542.tif 000009